(57)【要約】  【課題】  ディスクトレイを排出したときに下部に倒れるのを防ぎ、前記ディスクトレイが引き込まれるときに振動するのを防ぎ、ディスクローディングを円滑に行う。  【解決手段】  メインシャーシ１と、メインシャーシ１に摺動可能に支持されたディスクトレイ２とを有し、ディスクトレイ２に形成されたサイドレール２５は出入り口Ｓｔ側に形成され、水平方向に延びる水平部２５１と、奥側に形成されている屈曲部２５２とを有するとともに、メインシャーシ１のガイド部１２と係合する。【選択図】      図４
2007058891.tif 000002
【特許請求の範囲】
【請求項１】
光ディスクにレーザ光を照射することで、データの記録、読出を行う光ディスク装置で
あって、
メインシャーシと、前記光ディスクにレーザ光を照射する光ヘッドと、前記光ディスク
を回動するディスク回動装置と、前記メインシャーシ内部に摺動可能に支持され前記光デ
ィスクを載置するとともに前進後退させ、光ディスク装置の正面に形成されている開口部
より前記光ディスクをロード又はアンロードするディスクトレイと、前記メインシャーシ
に回動可能に支持され、前記光ヘッドを摺動可能に及び前記ディスク回動装置を回動可能
に保持するトラバースシャーシと、前記メインシャーシに摺動可能に支持されるとともに
前記トレイと係合する昇降カムと、前記メインシャーシに回動可能に支持され、前記光デ
ィスクを前記ディスク回動装置との間に挟着するクランプと、動力源である駆動モータと
、前記駆動モータの回動を前記トレイ及び前記昇降カムに伝達するための歯車機構とを有
しており、
前記ディスクトレイの両側面にはサイドレールが形成されているとともに、前記メイン
シャーシの内側面には前記サイドレールが摺動可能に係合し、該サイドレールを上部より
押える押え部と、該サイドレールの下部を支持する受け部とを有するガイド部が形成され
ており、
前記メインシャーシの内側壁には前記サイドレールと係合し、該サイドレールの底部を
受ける受け部と、該サイドレールを上から押える押え部とを備え、前記ディスクトレイが
摺動するときにガイドするガイド部を有し、
前記サイドレールはディスクトレイのアンロード側に形成される水平部と、前記水平部
のロード側に該水平部と一体に形成されるとともに上方に屈曲する直線形状を有する屈曲
部とを有しており、
前記水平部と前記屈曲部の連結部は前記ディスクトレイがアンロード位置に配置されて
いるときに開口部より奥になるように形成されており、前記屈曲部の端部が前記ガイド部
の押え部と当接することを特徴とする光ディスク装置。
【請求項２】
光ディスクにレーザ光を照射することで、データの記録、読出を行う光ディスク装置で
あって、
メインシャーシと、前記メインシャーシ内部に摺動可能に支持され前記光ディスクを載
置するとともに前進後退させ、光ディスク装置の正面に形成されている開口部より前記光
ディスクをロード又はアンロードするディスクトレイと、前記ケースに回動可能に支持さ
れ、前記光ディスクにレーザ光を照射する光ヘッドと、前記光ディスクを回動するディス
ク回動装置とを保持するトラバースシャーシとを有しており、
前記ディスクトレイの外側面にはサイドレールが形成されているとともに、前記メイン
シャーシの内側面には前記サイドレールが摺動可能に係合し、該サイドレールを上部より
押える押え部と、該サイドレールの下部を受ける受け部とを有するガイド部が形成されて
おり、
前記メインシャーシの内側壁には前記サイドレールと係合し、該サイドレールの底部を
受ける受け部と、該サイドレールを上から押える押え部とを備え、前記ディスクトレイが
摺動するときにガイドするガイド部を有し、
前記サイドレールはディスクトレイの正面側に形成される水平部と、前記水平部の奥側
に該水平部と一体に形成されるとともに上方に屈曲する屈曲部とを有しており、
前記屈曲部の端部は、前記ディスクトレイがアンロード位置に配置されているときに前
記ガイド部の押え部と当接することを特徴とする光ディスク装置。
【請求項３】
前記屈曲部は上部のみが上側に向かって傾斜する形状を有することを特徴とする請求項
２に記載の光ディスク装置。
【請求項４】
前記屈曲部は上方に向けて反る形状で形成されていることを特徴とする請求項２または
請求項３に記載の光ディスク装置。
【請求項５】
前記屈曲部は奥側に前記水平部と略平行に形成される第２平行部を備えた形状で形成さ
れていることを特徴とする請求項２に記載の光ディスク装置。
【請求項６】
前記屈曲部の角部を丸めた曲線状に形成されていることを特徴とする請求項５に記載の
光ディスク装置。
【発明の詳細な説明】
【技術分野】
【０００１】
本発明は、光ディスクに記録された情報を読み出す又は光ディスクに情報を記録する光
ディスク装置に関し、さらに詳しくは、光ディスクを載置し、挿入排出するディスクトレ
イの振動を低減することができる光ディスク装置に関するものである。
【背景技術】
【０００２】
近年、映像、音声又は情報の記録媒体として、ＣＤ（Compact Disc）、ＤＶＤ（Digita
l Versatile Disc）等の光ディスクが多く用いられている。これら光ディスクを記録媒体
として用いる光ディスク装置は該光ディスクの記録面に対しレーザ光を照射しデータの記
録を行い、及び（又は）前記記録面で反射してきた光を検出することで、データの読出し
を行っている。
【０００３】
前記光ディスク装置の多くは、前記光ディスクを載置するディスクトレイを有している
。前記光ディスク装置は前記ディスクトレイに光ディスクを載置し、該ディスクトレイを
摺動させ、該光ディスクを筐体内の所定位置へ搬送（ローディング）する。そして、前記
光ディスクを駆動するためのディスク駆動手段及び該光ディスクにレーザ光を照射するた
めの光ヘッドが備えられたトラバースシャーシを、前記光ディスクが前記ディスク駆動手
段に装着されるように移動（チャッキング）する。このとき、前記光ディスクは前記ディ
スクトレイを離れディスク駆動手段にて、周方向に滑らないように挟着されている。
【０００４】
その後、前記ディスク駆動手段で前記光ディスクを駆動（回転）しつつ、前記光ヘッド
を該光ディスクの径方向に移動させ、該光ヘッドから該光ディスクへレーザ光を照射する
ことで、データの記録又は読出しを行う。
【０００５】
図８は従来の光ディスクに備えられるディスクトレイの概略側面図である。図８に示す
ようにディスクトレイ９２の側面にはサイドレール９２１が形成されており、ディスクト
レイ９２はメインシャーシ９１に対し摺動可能に取り付けられている。サイドレール９２
１はメインシャーシ９１に形成されているガイド部９１１に係合し、サイドレール９２１
をガイドすることでディスクトレイ９２の摺動をガイドする。なお図８に示すようにディ
スクトレイ９２の駆動力は下面に備えられたトレイラック９２２とトレイ駆動用のギアト
レイ９３とが歯合し、ギアトレイ９３が回動することで伝達される。
【０００６】
図８に示すように、ガイド部９１１は下側にディスクトレイ９２のサイドレール９２１
の下部を支持する受け部９１２と、スライドレール９２１の上側を押える押え部９１３と
を備えている。受け部９１２と押え部９１３との間に形成された間隙９１４にディスクト
レイ９２のサイドレール９２１を嵌合した状態で配置されている。
【０００７】
このように構成されるメインシャーシ９１、ディスクトレイ９２はそれぞれ、樹脂の一
体成形で形成されるものであり、特に大量生産を行う場合、複数の金型を用いて、複数個
の同一部品を並行して製造するのが一般的である。しかしながら、複数の金型を正確に同
一の形状で形成することや、また、成形圧や溶融樹脂の温度などの成形条件を完全に一致
させることは難しく、成形品の全てが必ずしも同一の寸法で成形されるとは限らない。
【０００８】
この大量生産に起因する成形寸法のばらつきはディスクトレイ９２のサイドレール９２
１の大きさ、形状にも影響がある。このばらつきによる不具合の発生を抑えるため、サイ
ドレール９２１が嵌合される間隙９１４は、余裕を持った大きさで形成されるのが一般的
である。このように間隙９１４を形成した場合、図８に示すように、ディスクトレイ９２
が最も外側（光ディスクをアンローディングする位置）に排出されたときに下側に傾く。
また、ディスクトレイ９２が下側に傾いた状態でディスクトレイ９２を内側に摺動させる
と、ディスクトレイ９２の底部がメインシャーシ９１と接触し摺動するときに、ディスク
トレイ９２の先端が揺動（振動）する。
【０００９】
ディスクトレイ９２が振動することで、光ディスクがディスクトレイ９２内ではねたり
、使用感を損ねたりする。
【００１０】
そこで、特開２００３−３３１４９７号公報に記載の発明では、上枠材に設けられたネ
ジガイドホルダに調整ネジを挿入し、前記調整ネジで軌条側端を案内しつつ支持するもの
が示されている。また、特開２００４−２５９３３６号公報では合成樹脂天板の一側部に
スリットを形成し、弾性変位可能な略Ｌ字状押え片を形成し、その押え片でトレイの一側
縁の上面と弾性的に接触されることでトレイの傾きを抑制している。
【特許文献１】特開２００３−３３１４９７号公報
【特許文献２】特開２００４−２５９３３６号公報
【発明の開示】
【発明が解決しようとする課題】
【００１１】
しかしながら、特開２００３−３３１４９７号公報に記載の発明では、前記調整ネジ、
ネジガイドホルダ等、複数の部材が別途必要であり、それだけ、部品点数が増えると共に
、製造工数が増え、それだけ、組み立てコストが高くなる。
【００１２】
また、特開２００４−２５９３３６号公報に記載の発明では、別途部材は必要ではない
が、スリットを形成し、Ｌ字状の押え片を形成しなくてはならず、複雑な作業が多くなり
、製造、組み立ての手間、時間が必要であり、それだけ、製造コストが高くなる。
【００１３】
そこで本発明は、上記の問題に鑑みてなされたものであり、ディスクトレイを排出した
ときに下部に倒れるのを防ぎ、前記ディスクトレイが引き込まれるときに振動するのを防
ぎ、ディスクローディングを円滑に行うことができる光ディスク装置を提供することを目
的とする。
【００１４】
そこで本発明は、上記の問題に鑑みてなされたものであり、部材を追加したり、複雑形
状に加工したりすることなく、ディスクトレイのディスクローディングを円滑に行うこと
ができるとともに、製造コストを低減することができる光ディスク装置を提供することを
目的とする。
【課題を解決するための手段】
【００１５】
上記目的を達成するため本発明は、光ディスクにレーザ光を照射することで、データの
記録、読出を行う光ディスク装置であって、メインシャーシと、前記光ディスクにレーザ
光を照射する光ヘッドと、前記光ディスクを回動するディスク回動装置と、前記メインシ
ャーシ内部に摺動可能に支持され前記光ディスクを載置するとともに前進後退させ、光デ
ィスク装置の正面に形成されている開口部より前記光ディスクをロード又はアンロードす
るディスクトレイと、前記メインシャーシに回動可能に支持され、前記光ヘッドを摺動可
能に及び前記ディスク回動装置を回動可能に保持するトラバースシャーシと、前記メイン
シャーシに摺動可能に支持されるとともに前記トレイと係合する昇降カムと、前記メイン
シャーシに回動可能に支持され、前記光ディスクを前記ディスク回動装置との間に挟着す
るクランプと、動力源である駆動モータと、前記駆動モータの回動を前記トレイ及び前記
昇降カムに伝達するための歯車機構とを有しており、前記ディスクトレイの両側面にはサ
イドレールが形成されているとともに、前記メインシャーシの内側面には前記サイドレー
ルが摺動可能に係合し、該サイドレールを上部より押える押え部と、該サイドレールの下
部を支持する受け部とを有するガイド部が形成されており、前記メインシャーシの内側壁
には前記サイドレールと係合し、該サイドレールの底部を受ける受け部と、該サイドレー
ルを上から押える押え部とを備え、前記ディスクトレイが摺動するときにガイドするガイ
ド部を有し、前記サイドレールはディスクトレイのアンロード側に形成される水平部と、
前記水平部のロード側に該水平部と一体に形成されるとともに上方に屈曲する直線形状を
有する屈曲部とを有しており、前記水平部と前記屈曲部の連結部は前記ディスクトレイが
アンロード位置に配置されているときに開口部より奥になるように形成されており、前記
屈曲部の端部が前記ガイド部の押え部と当接することを特徴とする。
【００１６】
この構成によると、前記ディスクトレイのサイドレールに屈曲部を形成することで、該
ディスクトレイがアンロード位置に摺動してきたときに、前記屈曲部が前記メインシャー
シの押え部と当接するので、前記ディスクトレイが垂れるのを抑制することができる。
【００１７】
前記ディスクトレイが垂れるのを防ぐことができるので、該ディスクトレイがローディ
ング方向に摺動するときに、該ディスクトレイが揺動するのを防ぐことが可能である。
【００１８】
また上記目的を達成するために本発明は、光ディスクにレーザ光を照射することで、デ
ータの記録、読出を行う光ディスク装置であって、メインシャーシと、前記メインシャー
シ内部に摺動可能に支持され前記光ディスクを載置するとともに前進後退させ、光ディス
ク装置の正面に形成されている開口部より前記光ディスクをロード又はアンロードするデ
ィスクトレイと、前記ケースに回動可能に支持され、前記光ディスクにレーザ光を照射す
る光ヘッドと、前記光ディスクを回動するディスク回動装置とを保持するトラバースシャ
ーシとを有しており、前記ディスクトレイの外側面にはサイドレールが形成されていると
ともに、前記メインシャーシの内側面には前記サイドレールが摺動可能に係合し、該サイ
ドレールを上部より押える押え部と、該サイドレールの下部を受ける受け部とを有するガ
イド部が形成されており、前記メインシャーシの内側壁には前記サイドレールと係合し、
該サイドレールの底部を受ける受け部と、該サイドレールを上から押える押え部とを備え
、前記ディスクトレイが摺動するときにガイドするガイド部を有し、前記サイドレールは
ディスクトレイの正面側に形成される水平部と、前記水平部の奥側に該水平部と一体に形
成されるとともに上方に屈曲する屈曲部とを有しており、前記屈曲部の端部は、前記ディ
スクトレイがアンロード位置に配置されているときに前記ガイド部の押え部と当接するこ
とを特徴とする。
【００１９】
この構成によると、前記ディスクトレイのサイドレールに屈曲部を形成することで、該
ディスクトレイがアンロード位置に摺動してきたときに、前記屈曲部が前記メインシャー
シの押え部と当接するので、前記ディスクトレイが垂れるのを抑制することができる。
【００２０】
前記ディスクトレイが垂れるのを防ぐことができるので、該ディスクトレイがローディ
ング方向に摺動するときに、該ディスクトレイが揺動するのを防ぐことが可能である。
【００２１】
上記構成において前記屈曲部は上部のみが上側に向かって傾斜する形状であってもよく
、上方に向けて反る形状で形成されているものであってもよく、奥側に前記水平部と略平
行に形成される第２平行部を備えた形状で形成されているものであってもよい。
【００２２】
上記屈曲部が第２平行部を備えた形状で形成されているものにおいて、前記屈曲部の角
部を丸めた曲線状に形成されているものであってもよい。
【発明の効果】
【００２３】
本発明によると、ディスクトレイを排出したときに下部に倒れるのを防ぎ、前記ディス
クトレイが引き込まれるときに振動するのを防ぎ、ディスクローディングを円滑に行うこ
とができる光ディスク装置を提供することができる。
【００２４】
また本発明によると、部材を追加したり、複雑形状に加工したりすることなく、ディス
クトレイのディスクローディングを円滑に行うことができるとともに、製造コストを低減
することができる光ディスク装置を提供することができる。
【発明を実施するための最良の形態】
【００２５】
以下に本発明の実施形態を図面を参照して説明する。図１は本発明にかかる光ディスク
装置の概略斜視図である。図１に示すように光ディスク装置Ａはディスクトレイ２が、外
装ハウジングＯｈのフロントパネルＦｐに設けられたスリット状の出入り口Ｓｔから、出
入りできるように配置されている。
【００２６】
ディスクトレイ２が出入り口Ｓｔより光ディスク装置Ａの外部に排出されている状態で
光ディスクを載置し、ディスクトレイ２を挿入することで光ディスクを再生／記録可能な
領域に挿入（ローディング）する。また、ディスクトレイ２を光ディスク装置Ａより排出
することで光ディスク装置Ａ内部に挿入されている光ディスクを排出（アンローディング
）する。
【００２７】
図２は本発明にかかる光ディスク装置の一例のトレイが排出された状態の平面図であり
、図３は図２に示す光ディスク装置のトレイが収納された状態の平面図であり、図４は図
２に示す光ディスク装置に備えられるディスクトレイの側面図であり、図５は図３に示す
光ディスク装置に備えられるディスクトレイの側面図であり、図６（Ａ）〜（Ｃ）は図２
及び図３に示す光ディスク装置のディスク挿入／排出動作を示す概略正面図である。
【００２８】
図２及び図３に示す光ディスク装置Ａは、メインシャーシ１と、メインシャーシ１に摺
動可能に支持されたディスクトレイ２と、光ディスクにレーザ光を照射し情報の読み取り
及び（又は）記録を行う光ヘッド３と、前記光ヘッド３及び光ディスクを回動可能に保持
するディスク回動装置が支持されるトラバースシャーシ４と、メインシャーシ１に摺動可
能に支持されトラバースシャーシ４と接続する昇降カム５と、ディスクトレイ２及び昇降
カム５を駆動するための駆動モータ６と、駆動モータ６の動力をディスクトレイ２及び昇
降カム５に伝達するための歯車機構７とを有している。
【００２９】
メインシャーシ１はトラバースシャーシ４が配置される部分のディスクトレイ２を挟ん
だ反対側に、ディスク回動装置と光ディスクを挟持するためのクランプが配置されるクラ
ンプ支持部１１を有している。クランプ支持部１１はディスクトレイ２が摺動するための
間隙１１０を有しており、間隙１１０の側面にはディスクトレイ２の後述のサイドレール
２５と係合するガイド部１２が形成されている。ガイド部１２はサイドレール２５の低部
を受ける受け部１２１と、サイドレール２５を上から押える押え部１２２とを有している
。
【００３０】
ガイド部１２の受け部１２１と押え部１２２との間の間隙Ｔは、ガイド部１２及び（又
は）ディスクトレイ２のサイドレール２５の個体差によって、当たりが発生し、摺動を抑
制しないように、サイドレール２５の厚みよりも大きくなるように形成されている。
【００３１】
ディスクトレイ２には底面に後述する歯車７３と歯合するラック２１と、光ディスクを
配置するための円形の段差２２と、中央部には光ヘッド３からのレーザ光を透過させ、デ
ィスク回動装置がクランプ８に近接するための貫通孔２３と、底面に後述の昇降カム５の
支持部５１に形成された摺動ボス５３と相対的に摺動可能なガイド２４と、両側面にメイ
ンシャーシ１のガイド部１２と係合しディスクトレイ２の摺動をガイドするサイドレール
２５とが形成されている。
【００３２】
ガイド２４はディスクトレイ２の端部よりディスクトレイ２の摺動方向に延びる直線部
２４１と、所定の位置で斜めに屈曲する斜行部２４２と、さらに摺動方向と直交するよう
に屈曲する直交部２４３を有している。
【００３３】
図４、図５に示すようにディスクトレイ２の側面（両側面）には、サイドレール２５が
形成されている。サイドレール２５は出入り口Ｓｔ側に形成され、水平方向に延びる水平
部２５１と、奥側に形成されている屈曲部２５２とを有している。図５に示すように、デ
ィスクトレイ２が収納されている状態のときは、サイドレール２５の水平部２５１がメイ
ンシャーシ１のガイド部１２の受け部１２１に支持され、摺動する。
【００３４】
ディスクトレイ２が排出されると、ディスクトレイ２のサイドレール２５の水平部２５
１がガイド部１２の受け部１２１に支持された状態で、摺動する。ディスクトレイ２が一
定以上排出されると、ディスクトレイ２の出入り口Ｓｔから排出された部分の重量（光デ
ィスクが載置されている場合光ディスクの重量も含む）分だけ、ガイド部１２の受け部１
２１の出入り口Ｓｔ側端部を中心に、ディスクトレイ２が垂れる方向にモーメントがかか
る。
【００３５】
図４に示すようにガイド部１２の受け部１２１と押え部１２２との間隙Ｔがサイドレー
ル２５の厚みよりも大きく形成されており、がたつきが発生しやすいが、ディスクトレイ
２のサイドレール２５の屈曲部２５２の先端がガイド部１２の押え部１２２と当接し、デ
ィスクトレイ２の出入り口Ｓｔから排出されている部分が垂れないように押えている。
【００３６】
ディスクトレイ２が挿入方向に摺動し、ディスクトレイ２の先端部２０が垂れる方向に
モーメントが働かないようになる位置まで挿入されたときに、屈曲部２５２が押え部１２
２と当接しないように形成されている。また、水平部１２１と屈曲部１２２の連結部はデ
ィスクトレイ２が排出されているときに、出入り口Ｓｔよりもメインシャーシ１の奥側に
なるように形成されている。
【００３７】
ディスクトレイ２がメインシャーシ１に挿入されるときに、ディスクトレイ２のサイド
レール２５の屈曲部２５２がメインシャーシ１のガイド部１２の押え部１２２に押えられ
ているので、ディスクトレイ２が摺動するときに、ディスクトレイ２の先端部２０が垂れ
ようとするのを防ぐことができ、ディスクトレイ２を挿入するときに先端部２０が振動（
揺動）するのを抑制することができる。
【００３８】
光ヘッド３はベース３１と、ベース３１に固定されるアクトベース３２とを有している
。ベース３１にはレーザ光を出射するレーザ光源（図示省略）と、レーザ光を平行光にす
るコリメータレンズ（図示省略）を備えている。アクトベース３２には光ディスクの記録
面にレーザ光を集光する対物レンズ３３が取り付けられている。ベース３１はトラバース
シャーシ４に摺動可能に支持されており、ベース３１は光ディスクからのデータの読出し
を行うときは光ディスクの半径方向に摺動する。
【００３９】
トラバースシャーシ４はメインシャーシ１と回動可能に係合する係合凸部４１と、光ヘ
ッド３の摺動を邪魔しないための貫通孔４２と、光ヘッド支持部４３と、昇降カム５の後
述するクランク部５２と係合する昇降ボス４４とを有している。
【００４０】
昇降カム５はメインシャーシ１に摺動支持される支持部５１と、トラバースシャーシ４
の昇降ボス４４と係合するクランク部５２と、支持部５１のメインシャーシ１と反対側に
形成され、ディスクトレイ２のガイド２４と係合する摺動ボス５３とを有している、昇降
カム５の支持部５１の端部はラック５１１が形成されている。昇降カム５のクランク部５
２は、上端部５２１と、下端部５２２と、傾斜部５２３とを有しており、上端部５２１と
下端部５２２とは傾斜部５２３を介して連結されている。
【００４１】
駆動モータ６の回転軸にはウォームギア６１が取り付けられており、歯車７１と歯合し
ており、駆動モータ６の動力を歯車機構７に伝達する。歯車機構７は歯車７０、７１、７
２、７３を有しており、歯車７０、７１、７２、７３は互いに歯合するようにメインシャ
ーシ１に回動可能に支持されている。駆動モータ６が回動すると、ウォームギア６１を介
して動力が伝達され、歯車７０、７１、７２、７３はそれぞれ所定の方向に回動する。
【００４２】
ディスク回動装置はクランプ８と圧接することで光ディスクを挟持するターンテーブル
とターンテーブルを回動するための軸動モータ（不図示）とを備えている。
【００４３】
図６（Ａ）に示す光ディスクローディング装置Ａはディスクトレイ２がメインシャーシ
１から排出された状態（図２に示す状態）のときの図であり、この状態のときに、ディス
クトレイ２に光ディスクを載置することが可能である。
【００４４】
昇降ボス４４はクランク部５２の下端部５２２を貫通している。つまり、トラバースシ
ャーシ４が最も低い位置（換言すると、ディスクトレイ２から最も離れた位置）に配置さ
れている。このとき、昇降カム５は歯車７３から最も離れた状態であり、昇降カム５に形
成されたラック５１１は歯車７３と歯合していない。また、この状態では、図４に示すよ
うにディスクトレイ２のサイドレール２５の屈曲部２５２が、メインシャーシ１のガイド
部１２の押え部１２２と当接しているので、ディスクトレイ２が水平又は略水平に停止し
ている。
【００４５】
この状態のときに駆動モータ６が駆動すると、歯車機構７が回動し、歯車７３と歯合す
るディスクトレイ２の底面に形成されたラック２１に動力が伝達される。ラック２１に動
力が伝達されると、ディスクトレイ２がメインシャーシ１内部に向かって摺動する。
【００４６】
昇降カム５の摺動ボス５３はディスクトレイ２に形成されたガイド２４と係合しており
、摺動ボス５３はディスクトレイ２のガイド２４に沿ってガイド２４に対して相対的に移
動する。このとき、摺動ボス５３と係合するのはガイド２４の直線部２４１であり、ディ
スクトレイ２の摺動方向に直線状に形成されているので、摺動ボス５３はガイド２４の直
線部２４１から力を受けず、最も低い位置に停止している。
【００４７】
図６（Ｂ）はトレイがケースに完全に収納されたときの、ドライブシャーシと昇降カム
の図である。図２に示すようにディスクトレイ２が所定の位置に達したとき、摺動ボス５
３がガイド２４の斜行部２４２に達し、摺動ボス５３がディスクトレイ２の摺動方向と直
交する方向に押される。摺動ボス５３が押されることで、昇降カム５がディスクトレイ２
の摺動方向と直交する方向に移動する。
【００４８】
このとき、トラバースシャーシ４の昇降ボス４４が昇降カム５のクランク部５２の下端
部５２２と係合しており、下端部５２２と係合するように摺動するので、トラバースシャ
ーシ４は最も低い位置にある。
【００４９】
ディスクトレイ２がメインシャーシ１に完全に収納されると、昇降カム５の摺動ボス５
３がディスクトレイ２のガイド２４の斜行部２４２と直行部２４３の屈曲する場所まで進
む。このとき、歯車７３と昇降カム５の支持部５１に形成されたラック５１１とが歯合し
、歯車７３からラック５１１に動力が伝達されて昇降カム５が摺動する。このとき、ディ
スクトレイ２のラック２１は歯車７３からはずれ、昇降カム５のラック５１１が歯車７３
と歯合しており、ディスクトレイ２は停止状態、昇降カム５はメインシャーシ１に沿って
摺動する。
【００５０】
昇降カム５が摺動すると、トラバースシャーシ４の昇降ボス４４がクランク部５２の傾
斜部５２３と係合した状態で移動する。このとき、昇降ボス４４はクランク部５２の傾斜
部５２３によってディスクトレイ２に近づく方向に押し上げる。トラバースシャーシ４は
支持部４１を中心に回動し、ディスク回動装置がメインシャーシ１のクランプ支持部１１
（図２、３参照）に配置されるクランプ８に接近する。
【００５１】
図６（Ｃ）は光ディスクがディスク回動装置に挟持されている状態を示す図である。さ
らに昇降カム５が摺動すると、昇降ボス４４がクランク部５２の傾斜部５２３から上端部
５２２に到達し、さらに摺動することで駆動モータ６を停止し、昇降カム５の摺動を停止
する。
【００５２】
トラバースシャーシ４の昇降ボス４４は昇降カム５のクランク部５２の上端部５２２と
係合しているので、トラバースシャーシ４は最もディスクトレイ２に近づいた位置で停止
している。このとき、トラバースシャーシ４に回動可能に取り付けられたディスク回動装
置は、ディスクトレイ２に載置されていた光ディスクＯｄを持ち上げ、クランプ８と光デ
ィスクを挟持する。
【００５３】
光ディスクをディスク回動装置とクランプ８で挟持することで、光ディスクＯｄをディ
スクトレイ２に接触することなく回動させることができる。回動している光ディスクＯｄ
に光ヘッド３よりレーザ光を照射することで、光ディスクＯｄに記録された情報を読出し
たり、光ディスクに情報を記録したりすることができる。
【００５４】
ディスクトレイ２がメインシャーシ１から排出されるときは上記と逆の手順で行われる
。すなわち、駆動モータ６をディスクトレイ２を収納したときと反対方向に回動させる。
駆動モータ２を反対方向に回動させることで駆動モータ２に接続している歯車機構７の歯
車７１、７２、７３は収納したときと反対方向に回動する。このとき、昇降カム５の支持
部５１に形成されたラック５１１は歯車７３と歯合しており、歯車７３から遠ざかる方向
に摺動する。
【００５５】
昇降カム５が摺動するときにトラバースシャーシ４の昇降ボス４４が昇降カム５のクラ
ンク部５２の傾斜部５２３を押し、トラバースシャーシ４はディスクトレイ２から遠ざか
る方向に回動する。トラバースシャーシ４がディスクトレイ２から遠ざかる方向に回動す
ることで、ディスク回動装置及びクランプ８は離れ、光ディスクがディスクトレイ２に載
置される。このとき、昇降カム５の摺動ボス５３はディスクトレイ２のガイド２４のトレ
イ摺動方向と直交する方向に形成された直交部２４３と係合し移動するのでディスクトレ
イ２はメインシャーシ１に対して相対的に停止している。
【００５６】
昇降カム５がさらに摺動すると、トラバースシャーシ４の昇降ボス４４は昇降カム５の
クランク部５２の下端部５２２と係合し、昇降カム５の摺動ボス５３がガイド２４の斜行
部２４２に到達する。摺動ボス５３が斜行部２４２と係合した状態で摺動すると摺動ボス
５３がガイド２４の斜行部２４２をディスクトレイ２の排出方向に押す。これによって、
ディスクトレイ２が排出方向に押される。このとき、昇降カム５の支持部５１に形成され
ているラック５１１が歯車７３と離れるとともに、ディスクトレイ２に形成されているラ
ック２１が歯車７３と歯合する。歯車７３の回転でディスクトレイ２が排出される。昇降
カム５の摺動ボス５３がガイド２４の斜行部２４２に押されて歯車７３から遠ざかる位置
に摺動し、ディスクトレイ２がさらに排出されると、摺動ボス５３はガイド２４の直線部
２４１と係合し摺動を停止する。
【００５７】
図７（Ａ）〜（Ｄ）の各図は本発明にかかる光ディスク装置に用いられるディスクトレ
イの側面図である。図７（Ａ）に示すディスクトレイ２Ａのようにサイドレール２５ａの
屈曲部２５２ａが曲線上に形成されている。曲線上に形成されていることで、円滑な摺動
が可能である。また、図７（Ｂ）に示すディスクトレイ２Ｂのようにサイドレール２５ｂ
の屈曲部２５２ｂに第２水平部２５３ｂが形成されており、水平部２５１ｂと第２水平部
２５３ｂが傾斜部２５４ｂを介して連結するものであってもよい。図７（Ｃ）に示すディ
スクトレイ２Ｃのように水平部２５１ｃと第２水平部２５３ｃとが傾斜部２５４ｃを介し
て連結されており、角が丸められているものであってもよい。また図７（Ｄ）に示すディ
スクトレイ２Ｄのように水平部２５１ｄと屈曲部２５２ｄの下部が均一面に形成されてい
るものであってもよい。
【００５８】
また、本発明にかかる光ディスク装置に用いられるディスクトレイとして、ディスクト
レイがメインシャーシの内部より摺動しつつ排出されるときに、ディスクトレイの重量又
は載置されている光ディスクの重量を加えた重量にてディスクトレイの先端部が垂れるよ
うに力が加わる位置において、メインシャーシの押え部と当接するように屈曲部が形成さ
れているサイドレールを有するディスクトレイを広く採用することができる。
【産業上の利用可能性】
【００５９】
本発明は、ＤＶＤ、ＣＤ等の光ディスクを記録媒体とする光ディスク装置において適用
することができる。
【図面の簡単な説明】
【００６０】
【図１】本発明にかかる光ディスク装置の概略斜視図である。
【図２】本発明にかかる光ディスク装置の一例のトレイが排出された状態の平面図である。
【図３】図２に示す光ディスク装置のトレイが収納された状態の平面図である。
【図４】図２に示す光ディスク装置に備えられるディスクトレイの側面図である。
【図５】図３に示す光ディスク装置に備えられるディスクトレイの側面図である。
【図６】図（Ａ）〜（Ｃ）は図２及び図３に示す光ディスク装置のディスク挿入／排出動作を示す概略正面図である。
【図７】図（Ａ）〜（Ｄ）は本発明にかかる光ディスク装置に用いられるディスクトレイの側面図である。
【図８】従来の光ディスクに備えられるディスクトレイの概略側面図である。
【符号の説明】
【００６１】
Ａ  光ディスク装置
Ｓｔ  出入り口
Ｏｈ  外部ハウジング
Ｆｐ  前面パネル
１  メインシャーシ
１１  クランプ支持部
１２  ガイド部
１２１  受け部
１２２  押え部
２  ディスクトレイ
２１  ラック
２２  段差
２３  貫通孔
２４  ガイド
２５  サイドレール
３  光ヘッド
３１  べース
３２  アクトベース
３３  対物レンズ
４  トラバースシャーシ
４１  係合凸部
４２  貫通孔
４３  光ヘッド支持部
４４  昇降ボス
５  昇降カム
５１  支持部
５１１  ラック
５２  クランク部
５３  摺動ボス
６  モータ
６１  ウォームギア
７  歯車機構
【図１】
2007058891.tif 000003
【図２】
2007058891.tif 000004
【図３】
2007058891.tif 000005
【図４】
2007058891.tif 000006
【図５】
2007058891.tif 000007
【図６】
2007058891.tif 000008
【図７】
2007058891.tif 000009
【図８】
2007058891.tif 000010